(57)【要約】【課題】電線束等を押し込むだけで容易に結束状態にできる小径の結束具を提供し、併せて、実装高さを抑えることのできるクリップおよびワイヤハーネスを提供する。【解決手段】自然状態でリング形状に湾曲するとともに両端部１１ａ、１１ｂが互いに隣接しつつ周方向に延びる第１湾曲部材１１と、結合位置Ｐ１、Ｐ２で第１湾曲部材１１に結合された一端側の結合部１２ａを有するとともに、そこから中央部１１ｃ側へと延び、他端側に互いのヒンジ結合部１２ｂを有する一対の第２湾曲部材１２と、を備え、ヒンジ結合部１２ｂを中央部１１ｃ側から内方側に所定離間距離だけ離間させたとき、一対の第２湾曲部材１２が、結合位置Ｐ１、Ｐ２より中央部１１ｃ側の第１湾曲部材１１を曲率半径の増加方向に拡開させるとともに第１湾曲部材１１に対し拡開方向の曲げモーメントを生じさせる状態で、第２湾曲部材１２が第１湾曲部材１１に対し定姿勢に保持される。【選択図】図１
2017129254.tif 000002
【特許請求の範囲】
【請求項１】
線材を結束可能な結束具であって、
自然状態でリングの形状に湾曲するとともに両端部が互いに隣接しつつ前記リングの周方向に延びる閉止状態をとる第１湾曲部材と、
前記第１湾曲部材の前記両端部から中央部側にそれぞれ所定の距離を隔てた結合位置で前記第１湾曲部材に結合された一端側の結合部を有するとともに、前記自然状態で前記一端側の結合部から前記中央部側へとそれぞれ前記第１湾曲部材に沿って延び、他端側に互いを回動可能に結合するヒンジ結合部を有する一対の第２湾曲部材と、を備え、
前記ヒンジ結合部を前記第１湾曲部材の前記中央部側から前記リングの内方側に所定離間距離だけ離間させたとき、前記一対の第２湾曲部材の前記一端側の結合部が、前記結合位置より前記中央部側の前記第１湾曲部材を曲率半径の増加方向に拡開させるとともに、前記結合位置の近傍で前記第１湾曲部材に対し前記拡開方向の曲げモーメントを生じさせる状態で、前記第２湾曲部材が前記第１湾曲部材に対し定姿勢に保持されることを特徴とする結束具。
【請求項２】
請求項１に記載の結束具と、
前記第１湾曲部材に一体的に連結され、支持体に係止される係止固定部と、を備え、
前記係止固定部が前記支持体に係止されるとき、前記結束具が前記支持体に固定されることを特徴とするクリップ。
【請求項３】
請求項１に記載の結束具と、前記閉止状態の前記結束具により結束された電線束と、を備えたワイヤハーネス。
【請求項４】
請求項２に記載のクリップと、前記閉止状態の前記結束具により結束された電線束と、を備えたワイヤハーネス。
【発明の詳細な説明】
【技術分野】
【０００１】
本発明は、結束具、クリップおよびワイヤハーネスに関し、特に自由形状またはそれに近い弾性変形状態で電線等を結束状態に集合させる結束具ならびにそれを備えたクリップおよびワイヤハーネスに関する。
【背景技術】
【０００２】
従前より、電線等の線材の結束には結束バンドが多用されているが、結束バンドによる結束作業は、専ら抜け止め機構を内蔵するバックル部にバンドを通して結束状態に締め付け、先端側の余計なバンド部分を切断するといったものであるため、作業環境によっては結束作業が容易でなく、結束をやり直す場合には結束バンドを再利用できなくなる。
【０００３】
そこで、従来、図７（ａ）に示すクランプリング（例えば、特許文献1参照）や、図７（ｂ）に示すクリップ（例えば、特許文献２参照）が提案されている。
【０００４】
図７（ａ）に示す第１の従来例のクランプリングでは、リング状に湾曲する囲成帯１の両開放端に係合子２とこれに係脱可能に相対する係脱子３とを交互に複数組設けるとともに、複数の係合子２上に突出する複数の係脱案内部材４を設けることで、それら係脱案内部材４の捩り操作によって結束状態を解除できるようにされている。
【０００５】
図７（ｂ）に示す第２の従来例のクリップでは、パイプ収納スペースを形成するよう一端側で対向するとともに他端側でヒンジ結合された一対の挟持用アーム５、６と、両挟持用アーム５、６のそれぞれにヒンジ結合され、両挟持用アーム５、６を対向する一端側で開閉させるよう揺動可能に支持する台座７とを備えており、ワイヤ等を押し込むだけで両挟持用アーム５、６を閉止させて互いにロックさせるようになっている。
【先行技術文献】
【特許文献】
【０００６】
【特許文献１】特公平０１−０２６９４４号公報
【特許文献２】特開平０２−９７７０３号公報
【発明の概要】
【発明が解決しようとする課題】
【０００７】
しかしながら、前述のような従来の結束具やそれを備えたワイヤハーネスにあっては、結束状態を解除可能にロックするロック機構を有するものであったため、結束可能なワイヤハーネス等の線材束を結束する径が狭い範囲内に制限されるばかりか、ロック機構が径方向に突出するために結束具やクリップがワイヤハーネス等の実装高さ方向に大径になるという問題があった。
【０００８】
そして、電線等をサブアセンブル状態で仮結束する場合等、強固なロックが要求されない場合に、そのような問題が顕著になっていた。
【０００９】
本発明は、このような従来の課題を解決するものであり、電線束等を押し込むだけで容易に結束状態にできる小径の結束具を提供することを目的とし、併せて、その結束具を設けることで実装高さを抑えることのできるクリップおよびワイヤハーネスを提供することを目的とする。
【課題を解決するための手段】
【００１０】
本発明は、上記目的達成のため、線材を結束可能な結束具であって、自然状態でリングの形状に湾曲するとともに両端部が互いに隣接しつつ前記リングの周方向に延びる閉止状態をとる第１湾曲部材と、前記第１湾曲部材の前記両端部から中央部側にそれぞれ所定の距離を隔てた結合位置で前記第１湾曲部材に結合された一端側の結合部を有するとともに、前記自然状態で前記一端側の結合部から前記中央部側へとそれぞれ前記第１湾曲部材に沿って延び、他端側に互いを回動可能に結合するヒンジ結合部を有する一対の第２湾曲部材と、を備え、前記ヒンジ結合部を前記第１湾曲部材の前記中央部側から前記リングの内方側に所定離間距離だけ離間させたとき、前記一対の第２湾曲部材の前記一端側の結合部が、前記結合位置より前記中央部側の前記第１湾曲部材を曲率半径の増加方向に拡開させるとともに、前記結合位置の近傍で前記第１湾曲部材に対し前記拡開方向の曲げモーメントを生じさせる状態で、前記第２湾曲部材が前記第１湾曲部材に対し定姿勢に保持されることを特徴とする。
【００１１】
この構成により、本発明では、第２湾曲部材または第１湾曲部材のいずれかの部位が操作され、一対の第２湾曲部材のヒンジ結合部が第１湾曲部材の中央部側から径方向内方側に所定離間距離だけ離間すると、一対の第２湾曲部材から第１湾曲部材に対し拡開方向の力と曲げモーメントが作用することで、第１湾曲部材が十分に拡開され、その状態が保持される。そして、その拡開状態で電線束等が結束具内に押し込まれ、ヒンジ結合部が第１湾曲部材の中央部側に接近するよう押圧されると、一対の第２湾曲部材から第１湾曲部材に加えられていた拡開方向の力と曲げモーメントが除去され、第１湾曲部材が自然状態に復帰するとともに、第２湾曲部材が一端側の結合部から中央部側へとそれぞれ第１湾曲部材に沿って延びる状態に収納され、線材が結束される閉止状態となる。このときの閉止状態は、線材または線材束の径によって変化し、その結束径が大きくなるほど第１湾曲部材および一対の第２湾曲部材のそれぞれに拡開方向の撓みが生じる。したがって、所定範囲内の結束径の相違に対応可能で、しかも、径方向に突出するロック機構を設けることなく、その結束径に応じた所要の保持力が確保されることになり、電線束等を押し込むだけで容易に結束状態にできる小径の結束具となる。
【００１２】
なお、ここにいう自然状態は、外力が作用しない初期状態や外力が取り除かれた自由状態である。また、所定離間距離は、一対の第２湾曲部材のヒンジ結合部が、第１湾曲部材および一対の第２湾曲部材の結合位置を結ぶ直線よりも第１湾曲部材の中央部側から離間する距離であり、前記曲げモーメントに応じて設定され得る。
【００１３】
また、前記結合位置の間の前記第１湾曲部材は、前記線材の長さ方向で前記第２湾曲部材とは異なる位置に配置されてもよく、前記線材の長さ方向で前記第２湾曲部材の両側に並列配置されてもよい。あるいは、前記結合位置の間の前記第１湾曲部材は、前記自然状態で前記第２湾曲部材とは前記リングの径方向の異なる位置に配置されてもよいし、前記リングの径方向の同位置に配置されてもよい。いずれの場合も、前記第１湾曲部材および前記第２湾曲部材は、前記結合位置の近傍で相互に連結され得る。第１湾曲部材および第２湾曲部材は、それぞれ例えば長方形横断面を有する帯状の部材として形成できる。
【００１４】
本発明に係るクリップは、上記構成を有する結束具と、前記第１湾曲部材に一体的に連結され、支持体に係止される係止固定部と、を備え、前記係止固定部が前記支持体に係止されるとき、前記結束具が前記支持体に固定されることを特徴とする。
【００１５】
この構成により、電線束等に結束具を装着した状態で、その結束具付の電線束等を支持体側に固定したり、予め支持体側に固定された結束具に対して電線束等を押し込んで固定したりできるクリップとなる。また、径方向に突出するロック機構を設けずに済むので、電線束等の実装高さを抑えることができるとともに、電線束等の結束状態が適度な締付け状態でかつ電束等の実装姿勢に応じてその係止固定部の装着姿勢や位置が容易に変更可能であるから、作業性が良いクリップとなる。
【００１６】
本発明に係るワイヤハーネスは、上記の結束具またはそれを備えたクリップと、前記閉止状態の前記結束具により結束された電線束と、を備えるものであり、組立や配索作業性に優れたものとなる。
【発明の効果】
【００１７】
本発明によれば、電線束等を押し込むだけで容易に結束状態にできる小径の結束具を提供することができ、併せて、その結束具を設けることで実装高さを抑えることのできるクリップおよびワイヤハーネスを提供することができる。
【図面の簡単な説明】
【００１８】
【図１】本発明の第１の実施の形態に係る結束具の閉止状態を示す正面図である。
【図２】図１のＡ方向の矢視図である。
【図３】本発明の第１の実施の形態に係る結束具の拡開状態を示す正面図である。
【図４】本発明の第１の実施の形態に係る結束具の結束径が異なる２つの閉止状態を示す正面図である。
【図５】本発明の第２の実施の形態に係る結束具の閉止状態を示す正面図である。
【図６】本発明の第２の実施の形態に係る結束具の拡開状態を示す正面図である。
【図７】（ａ）は第１の従来例を示す図であり、（ｂ）は第２の従来例を示す図である。
【発明を実施するための形態】
【００１９】
以下、本発明を実施するための形態について図面を参照して説明する。
【００２０】
（第１の実施の形態）
図１ないし図４は、本発明の第１の実施の形態に係る結束具およびそれを備えたワイヤハーネスの要部を示している。本実施の形態の結束具およびワイヤハーネスは、車両に装備されるワイヤハーネスの電線群をその特定の結束位置で結束具により結束状態に保持するものである。
【００２１】
まず、本実施形態の構成を説明する。
【００２２】
図１に示すように、本実施形態の結束具１０は、例えば円弧板ばね（ここでは、略帯状でかつ略円弧状に湾曲した板ばねの意味である）により構成された第１湾曲部材１１と、その第１湾曲部材１１に結合された一対の第２湾曲部材１２とを有しており、これら第１湾曲部材１１および一対の第２湾曲部材１２は、例えばポリプロピレンやナイロン等の合成樹脂あるいはエラストマー樹脂により一体に形成されている。
【００２３】
第１湾曲部材１１は、自然状態で、ワイヤハーネスの電線束Ｗ（複数の線材）を取り囲むリング（円環）の正面形状に湾曲する閉止状態をとるようになっている。そして、その自然状態において、第１湾曲部材１１の両端部１１ａ、１１ｂは、前述のリングの径方向である図１中の矢印Ｄ方向に互いに隣接しつつ、同リングの周方向である図１中の矢印Ｃ方向に延びている。
【００２４】
図１および図２に示すように、一対の第２湾曲部材１２は、第１湾曲部材１１の両端部１１ａ、１１ｂから長手方向の中央部１１ｃ側にそれぞれ所定の距離を隔てた結合位置Ｐ１、Ｐ２において、第１湾曲部材１１に結合されたそれぞれの一端側の結合部１２ａを有している。
【００２５】
また、一対の第２湾曲部材１２は、前述の自然状態で一端側の結合部１２ａから第１湾曲部材１１の中央部１１ｃ側へとそれぞれ第１湾曲部材１１に沿って延び、ワイヤハーネスの電線束Ｗからの図１中下向きの力や斜下方向への外力を受けるときに第１湾曲部材１１の両端部１１ａ、１１ｂを閉止方向に付勢することができる円弧板ばねとして機能するようになっている（この点については、後述する）。
【００２６】
なお、結束具１０は、予め図１に示す閉止形状とは異なる形状に成形された後、熱や力を加えて図１に示す自然状態になるように癖付けしたもの、あるいは、第１湾曲部材１１の両端部１１ａ、１１ｂの間に多少の隙間が形成される状態で図１の図示形状に近い形状に成形されたものである。また、図２の仮想線で示すように、第１湾曲部材１１の両端部１１ａ、１１ｂは、図１中の矢印Ｃ、Ｄ方向と直交する軸線方向に隣り合って近接していてもよい。その場合、第１湾曲部材１１の両端部１１ａ、１１ｂは、矢印Ｄ方向で同一の半径位置をとり得る。
【００２７】
一方、第１湾曲部材１１の中央部１１ｃに近い一対の第２湾曲部材１２のそれぞれの他端側には、一対の第２湾曲部材１２同士を互いに回動可能に結合するヒンジ結合部１２ｂが設けられている。
【００２８】
また、結合位置Ｐ１、Ｐ２の間の第１湾曲部材１１は、図２に示すように、ワイヤハーネスの電線束Ｗの長さ方向である同図中の双方向の矢印Ｅ方向で、第２湾曲部材１２とは異なる位置に配置されている。
【００２９】
具体的には、中央部１１ｃを含む結合位置Ｐ１、Ｐ２の間の第１湾曲部材１１は、矢印Ｅ方向で第２湾曲部材１２の両側に互いに平行に配置された一対の中央側の円弧板ばね部２１、２２によって構成されている。また、結合位置Ｐ１、Ｐ２より両端部１１ａ、１１ｂ側の第１湾曲部材１１は、両端部１１ａ、１１ｂに対応する両端側の円弧板ばね部２３、２４と、これら円弧板ばね部２３、２４を一対の第２湾曲部材１２の一端側の結合部１２ａおよび円弧板ばね２１、２２に一体に連結する一対の連結部２５とによって構成されている。
【００３０】
一対の第２湾曲部材１２は、中央側の円弧板ばね部２１、２２の各々よりも両端側の円弧板ばね部２３、２４に近い板幅（図２中の左右方向の幅）を有している。また、各連結部２５には、中央側の円弧板ばね部２１、２２の各一対の端部２１ａ、２２ａに結合する撓み結合部分２５ａ、２５ｂが設けられている。これら撓み結合部分２５ａ、２５ｂは、一対の第２湾曲部材１２のヒンジ結合部１２ｂよりも肉厚が大きく、中央側の円弧板ばね部２１、２２と両端側の円弧板ばね部２３、２４との間に他の部分より曲げ剛性が小さく撓みを許容するものの、曲げが自在なヒンジとしては機能せず、所定範囲内の曲げモーメントを伝達できるようになっている。
【００３１】
さらに、結合位置Ｐ１、Ｐ２の間の第１湾曲部材１１は、自然状態で第２湾曲部材１２とは図１中の矢印Ｄ方向の異なる位置に配置されており、例えば第１湾曲部材１１が自然状態でなすリング形状の内側に位置するように配置されている。ただし、結合位置Ｐ１、Ｐ２の間の自然状態で第１湾曲部材１１が、図１中の矢印Ｄ方向で、第２湾曲部材１２と同位置に配置されてもよい。いずれの場合も、第１湾曲部材１１および第２湾曲部材１２は、結合位置Ｐ１、Ｐ２の近傍で相互に一体的に連結される。
【００３２】
ところで、結束具１０においては、一対の第２湾曲部材１２または第１湾曲部材１１のいずれかの部位を操作することで、一対の第２湾曲部材１２のヒンジ結合部１２ｂを図１に示すように、第１湾曲部材１１の中央部１１ｃ側から上方側（リング形状の内方側）に移動させることができる。
【００３３】
そして、図３に示すように、第１湾曲部材１１の中央部１１ｃ側から上方側へのヒンジ結合部１２ｂの移動距離が所定離間距離Ｈに達する程度に、ヒンジ結合部１２ｂを第１湾曲部材１１の中央部１１ｃ側から離間させたとき、一対の第２湾曲部材１２の一端側の結合部１２ａが、結合位置Ｐ１、Ｐ２より中央部１１ｃ側で第１湾曲部材１１を曲率半径Ｒの増加方向に拡開させるようになっている。また、この拡開状態においては、一対の第２湾曲部材１２の一端側の結合部１２ａが、結合位置Ｐ１、Ｐ２の近傍で第１湾曲部材１１に対し拡開方向の力Ｆおよび曲げモーメントＭを生じさせる状態で、それらと同等の反力を第１湾曲部材１１側から受けながら、第１湾曲部材１１に対し定姿勢に保持されるようになっている。
【００３４】
なお、ここにいう所定離間距離Ｈは、一対の第２湾曲部材１２のヒンジ結合部１２ｂが、第１湾曲部材１１および一対の第２湾曲部材１２の結合位置Ｐ１、Ｐ２を結ぶ直線Ｌよりも第１湾曲部材１１の中央部１１ｃ側から離間する（同図中で直線Ｌよりも上方側に達する）距離であり、曲げモーメントＭに応じて設定されている。
【００３５】
次に、作用について説明する。
【００３６】
上述のように構成された本実施形態の結束具１０においては、一対の第２湾曲部材１２または第１湾曲部材１１のいずれかの部位が操作され、図３に示すように、一対の第２湾曲部材１２のヒンジ結合部１２ｂが第１湾曲部材１１の中央部１１ｃ側から径方向内方側に所定離間距離Ｈだけ離間すると、前述のように、一対の第２湾曲部材１２から第１湾曲部材１１に対し拡開方向の力Ｆと曲げモーメントＭが作用することで、第１湾曲部材１１が十分に拡開され、その状態が保持される。
【００３７】
そして、この結束具１０の拡開状態において、ワイヤハーネスの電線束Ｗが結束具１０内に押し込まれる際には、ヒンジ結合部１２ｂが第１湾曲部材１１の中央部１１ｃ側に接近するよう押圧される。
【００３８】
このとき、一対の第２湾曲部材１２から第１湾曲部材１１に加えられていた拡開方向の力Ｆと曲げモーメントＭが除去され、第１湾曲部材１１が自然状態に復帰する。同時に、第２湾曲部材１２が一端側の結合部１２ａから第１湾曲部材１１の中央部１１ｃ側へとそれぞれ第１湾曲部材１１に沿って延びる状態に収納され、ワイヤハーネスの電線束Ｗが結束具１０内に収納されて結束される閉止状態となる。
【００３９】
このときの閉止状態の結束具１０は、図４に実線形状および仮想線形状で示すように、ワイヤハーネスの電線束Ｗの結束サイズによってその結束径を大小に変化させ、結束径が大きくなるほど、第１湾曲部材１１および一対の第２湾曲部材１２のそれぞれに拡開方向の撓みが生じる状態となる。
【００４０】
したがって、ワイヤハーネスの電線束Ｗの所定範囲内の結束径の相違に対応可能で、しかも、径方向に突出するロック機構を設けることなく、その結束径に応じた所要の保持力が確保されることになる。その結果、ワイヤハーネスの電線束Ｗを押し込むだけで容易に結束状態にできる小径の結束具１０となる。
【００４１】
また、本実施形態では、結合位置Ｐ１、Ｐ２の間の第１湾曲部材１１が、ワイヤハーネスの電線束Ｗの長さ方向で第２湾曲部材１２とは異なる位置に配置されているので、第２湾曲部材１２を閉止状態の第１湾曲部材１１の径方向位置に近い位置に配置でき、閉止状態における結束具１０の外径を抑えることができる。
【００４２】
このように、本実施形態においては、ワイヤハーネスの電線束Ｗを押し込むだけで容易に結束状態にできる小径の結束具を提供でき、組立性に優れたワイヤハーネスを提供することができる。
【００４３】
（第２の実施の形態）
図５および図６は、本発明の第２の実施の形態に係る結束具を備えたクリップとそれを備えたワイヤハーネスの要部を示している。
【００４４】
なお、本実施の形態の結束具は、車両に装備されるワイヤハーネスの電線群をその特定の結束位置で結束状態に保持するとともに、車体側のパネル穴の開口縁部に係止固定するものである。
【００４５】
本実施形態に係るクリップ５０は、第１の実施の形態の結束具１０と同様に閉止状態と拡開状態とをとることができる結束具３０と、結束具３０の第１湾曲部材３１に一体的に連結され、支持体である車体側のパネル穴６１の開口内周縁部６２に係止される係止固定部４０とを備えている。
【００４６】
図５に示すように、本実施形態の結束具３０は、例えば全長に亘り略等幅の一枚の円弧板ばねで構成される第１湾曲部材３１と、閉止状態の第１湾曲部材３１の内周面側に結合された一対の第２湾曲部材３２とを有している。
【００４７】
また、一対の第２湾曲部材３２は、結合位置Ｐ１、Ｐ２において第１湾曲部材１１に結合されたそれぞれの一端側の結合部３２ａを有しており、自然状態で一端側の結合部３２ａから第１湾曲部材１１の中央部３１ｃ側へとそれぞれ第１湾曲部材３１に沿って延びる円弧板ばねとなっている。
【００４８】
一方、第１湾曲部材３１の中央部３１ｃに近い一対の第２湾曲部材３２のそれぞれの他端側には、一対の第２湾曲部材３２同士を互いに回動可能に結合するヒンジ結合部３２ｂが設けられている。
【００４９】
また、結合位置Ｐ１、Ｐ２の間の第１湾曲部材３１は、ワイヤハーネスの電線束Ｗの長さ方向では第２湾曲部材１２と同一幅領域内に、かつ、径方向においては異なる位置に配置されている。
【００５０】
この結束具３０においては、一対の第２湾曲部材３２または第１湾曲部材３１のいずれかの部位を操作することで、一対の第２湾曲部材３２のヒンジ結合部３２ｂを図６に示すように、第１湾曲部材３１のリング形状の内方側に移動させることができる。
【００５１】
そして、図６に示すように、第１湾曲部材３１の中央部３１ｃ側から上方側へのヒンジ結合部３２ｂの移動距離が所定離間距離Ｈに達する程度に、ヒンジ結合部３２ｂを第１湾曲部材３１の中央部３１ｃ側から離間させたとき、一対の第２湾曲部材３２の一端側の結合部３２ａが、結合位置Ｐ１、Ｐ２より中央部３１ｃ側で第１湾曲部材３１を曲率半径の増加方向に拡開させるようになっている。
【００５２】
さらに、一対の第２湾曲部材１２の一端側の結合部３２ａには、第１湾曲部材３１の両端部３１ａ、３１ｂ側に突出する拡開方向押圧部３２ｃが付設されており、前述の拡開状態においては、一対の第２湾曲部材１２の一端側の結合部１２ａが拡開方向押圧部３２ｃを拡開方向に駆動し、結合位置Ｐ１、Ｐ２の近傍で第１湾曲部材３１に対し拡開方向の曲げモーメントを生じさせる状態で、第１湾曲部材３１に対し定姿勢に保持されるようになっている。
【００５３】
したがって、本実施形態の結束具３０においても、第１実施形態における結束具１０と同様の結束機能を発揮でき、同様の効果を得ることができる。
【００５４】
一方、本実施形態のクリップ５０における係止固定部４０は、例えば複数の係止爪４１を有するクリップヘッド部４２を有しており、あるいは、従来の各種パネル固定方式のいずれかの形態を有しており、車体側のパネル穴６１の開口内周縁部６２に係止されることでワイヤハーネスの電線束Ｗを結束具３０による結束位置で、車体側のパネル６０に固定することができるようになっている。
【００５５】
このように構成された本実施形態のクリップ５０は、ワイヤハーネスの電線束Ｗに結束具３０を装着した状態で、その結束具３０付の電線束Ｗを車体側のパネル６０に固定したり、係止固定部４０により予め車体側のパネル６０に固定された拡開状態の結束具３０に対して、ワイヤハーネスの電線束Ｗを押し込んで固定したりできるものとなる。
【００５６】
また、径方向に突出するロック機構を設けずに済むので、ワイヤハーネスの電線束Ｗの実装高さを抑えることができるとともに、ワイヤハーネスの電線束Ｗの結束状態が適度な締付け状態でかつワイヤハーネスの実装姿勢に応じてその係止固定部４０の装着姿勢や位置が容易に変更可能なものとなる。したがって、結束作業性の良いクリップ５０によりワイヤハーネスの組立や配索作業の作業性を向上させることができる。
【００５７】
なお、上述の第２の実施の形態では、第１湾曲部材３１を一枚の円弧板ばねで構成し、その中央部３１ｃに係止固定部４０を一体に結合させる構成としていたが、第１湾曲部材３１の下方に電線方向に貫通する連結孔を形成するように連結枠部を装着する等して、複数の結束具３０を相互に連結しつつそれらを係止固定部４０に連結するようなことも考えられる。また、係止具１０、３０の第１湾曲部材１１、３１および第２湾曲部材１２、３２は、それぞれ帯板状としていたが、その横断面は典型的には長方形である。ただし、第１湾曲部材１１、３１および第２湾曲部材１２、３２の凹断面が他の多角形状であってもよいし、略半円形や楕円形等であってもよい。
【００５８】
以上説明したように、本発明は、電線束等を押し込むだけで容易に結束状態にできる小径の結束具を提供することができ、その結束具を用いて実装高さを抑えることのできるクリップを提供することができるものであり、自由形状またはそれに近い弾性変形状態で電線等を結束状態に集合させる結束具およびそれを備えたクリップ全般に有用である。
【符号の説明】
【００５９】
１０、３０  結束具
１１、３１  第１湾曲部材
１１ａ、１１ｂ、３１ａ、３１ｂ  両端部
１１ｃ、３１ｃ  中央部
１２、３２  第２湾曲部材
１２ａ、３２ａ  結合部
１２ｂ、３２ｂ  ヒンジ結合部
２１、２２  板ばね部
２１ａ、２２ａ  端部
２３、２４  板ばね部
２５  連結部
２５ａ、２５ｂ  撓み結合部分
３２ｃ  拡開方向押圧部
４０  係止固定部
４１  係止爪
４２  クリップヘッド部
５０  クリップ
６０  パネル
６１  パネル穴
６２  開口内周縁部
Ｐ１、Ｐ２  結合位置
Ｗ  ワイヤハーネスの電線束（ワイヤハーネスの要部）
【図１】
2017129254.tif 000003
【図２】
2017129254.tif 000004
【図３】
2017129254.tif 000005
【図４】
2017129254.tif 000006
【図５】
2017129254.tif 000007
【図６】
2017129254.tif 000008
【図７】
2017129254.tif 000009